(57)【特許請求の範囲】
【請求項１】
２つの送液機構からの異なる油種の燃料油を１つの給油ノズルで給油する装置において、各燃料油の混合比を外部から指令する混合比指令手段と、予め設定された混合比を格納した混合比自動設定手段と、所定量給油がなされるまでに前記混合比指令手段から信号が入力しない場合には前記混合比自動設定手段のデータの混合比に、また所定量給油がなされるまでに前記混合比指令手段から信号が出力した場合には当該信号で設定される混合比に基づいて給油を実行する弁制御手段とを備えてなる給油装置。
【発明の詳細な説明】
【０００１】
【産業上の利用分野】
本発明は、オクタン価が異なる２種の燃料油を、目的のオクタン価となるように混合して給油する給油装置に関する。
【０００２】
【従来の技術】
２種の燃料油を混合しながら給油する装置は、各燃料油を供給する送液機構にパルスモータにより弁開度が制御される流量制御弁を備え、送液機構の流量計測手段により検出された流量の比が設定値となっているか否かを監視し、設定値に対して誤差が存在する場合には流量制御弁の弁開度を調整するように構成されている。
【０００３】
このような給油装置は、給油に先立って顧客が希望するオクタン価を、給油装置のパネル面に設けられたスイッチ釦等の混合比指令手段から設定することにより、初めて給油可能な状態となる。
【０００４】
【発明が解決しようとする課題】
これによれば、オクタン価の設定ミスが確実に防止できるものの、給油する大半の油種がほとんど一定であるのにも拘らず給油の度に混合比の設定作業を強いることになって操作が煩わしという不都合がある。
本発明はこのような問題に鑑みてなされたもので、その目的とするところは、給油開始時の操作を可及的に簡素化して作業能率の向上を図ることができる新規な給油装置を提供することにある。
【０００５】
【発明が解決しようとする課題】
このような問題を解消するために本発明においては、２つの送液機構からの異なる油種の燃料油を１つの給油ノズルで給油する装置において、各燃料油の混合比を外部から指令する混合比指令手段と、予め設定された混合比を格納した混合比自動設定手段と、所定量給油がなされるまでに前記混合比指令手段から信号が入力しない場合には前記混合比自動設定手段のデータの混合比に、また所定量給油がなされるまでに前記混合比指令手段から信号が出力した場合には当該信号で設定される混合比に基づいて給油を実行する弁制御手段とを備えるようにした。
【０００６】
【作用】
混合比自動設定手段に給油頻度が高い油種の混合比データを予め格納しておくことにより、給油の度にいちいち混合比の設定動作を必要とすることなく大半の給油が可能となり、また特別な混合比での給油に際しては混合比指令手段を操作して混合比を指令することにより、顧客の注文に応じることができる。
【０００７】
【実施例】
そこで以下に本発明の詳細を図示した実施例について説明する。
図２は、本発明の一実施例を示すものであって、図中符号１は、第１の液体、例えばレギュラーガソリンを計量送出するための送液機構であって、ポンプモータＰＭ1に接続されたポンプＰ1の吸引口には、レギュラーガソリンを貯蔵する図示しないタンクが連通し、また吐出口には流量計Ｍ1を介して後述する流量制御弁Ｖ1が接続されている。流量計Ｍ1には、流量パルス発信器ＰＬ1が設けられていて、流量をパルス信号として制御装置３に出力するようになっている。
流量制御弁Ｖ1は、制御装置３からのパルス信号により駆動されるパルスモータＶaに接続されていて、パルス数に対応する弁開度を実現するよう構成されている。
【０００８】
図中符号２は、第２の液体、例えばハイオクタンガソリンを計量送出する送液機構で、第１の送液機構と同様に、ポンプモータＰＭ2に接続されたポンプＰ2の吸引口には、ハイオクタンガソリンを貯蔵する図示しないタンクが連通し、また吐出口には流量計Ｍ2を介して後述する流量制御弁Ｖ2が接続されている。流量計Ｍ2には、流量パルス発信器ＰＬ2が設けられていて、流量をパルス信号として制御装置３に出力するようになっている。流量制御弁Ｖ2は、制御装置３からのパルス信号により駆動されるパルスモータＶbに接続されていて、パルス数に対応する弁開度を実現するよう構成されている。これら送液機構１、２の吐出口は１つの流路に合流させられてホース５を介してノズル６に接続されている。
【０００９】
３は、マイクロコンピュータからなる制御装置で、レギュラーガソリンとハイオクタンガソリンのそれぞれを単独に給油することを指令する釦７、８と、これらを一定の比率、例えば２対１、１対１、１対２の混合比を指令する釦９、１０、１１とからの信号と、キーボード１５からの信号と、ノズルスイッチＳＷからの信号が入力し、また現在給油されている混合比を示す表示ランプ７ａ及至１１ａを点灯させ、また給油量を表示器１３に表示させ、さらには設定された混合比となるように流量制御弁Ｖ1、Ｖ2の弁開度を制御するようになっている。
【００１０】
図１は、前述の制御装置を構成しているマイクロコンピュータが奏すべき機能でもって示したもので、図中符号２０、２１は、それぞれ流量パルス発信器ＰＬ1、ＰＬ2からの流量パルスを計数して、各送液機構１、２から吐出された燃料油の積算流量を算出する計数手段である。これら各計数手段２０、２１により求められた積算流量は、加算手段２２により加算されて実給油量として表示器１３に表示される。
【００１１】
２４は、混合比設定手段で、混合比自動設定手段２５に混合比が記憶されている場合にはその混合比を弁制御手段２６に出力し、また加算手段２２から入力する給油量信号が予め定められた量、例えば８０ＣＣとなるまでの期間中に混合比設定釦７〜１１により外部から指令された場合は、指令されたデータを混合比として弁制御手段２６に出力する。２６は、弁制御手段で、混合比設定手段２４からの混合比データに一致する流量となるように各流量制御弁Ｖ1、Ｖ2の弁開度を制御するものである。なお、図中符号２３は、混合比設定手段２４からの混合比データ、及びノズルスイッチＳＷからのノズル外れ信号が共に出力されていることを検出して計数回路２０、２１をリセットするとともに、各送液機構１、２のポンプモータＰＭ1、ＰＭ2を作動させる信号を出力する論理積ゲートを示す。
【００１２】
次にこのように構成した装置の動作を図３に示したフローチャートに基づいて説明する。
給油に先立って、大半の顧客が注文する燃料油の種類、例えばレギュラーガソリンとハイオクタンガソリンを１対１で混合したものを自動設定するようにキーボード１５により指定すると、このデータが混合比自動設定手段２５に格納される。
給油する自動車が来て自動設定されている混合比（１対１）以外の油種を客が望む場合には、混合比設定釦７〜１１を押した後、また自動設定されている混合比を客が望む場合には、直に給油ノズル６をノズル掛けから外す。
ノズルスイッチＳＷがＯＮになると（ステップ  イ）、制御装置３は、混合比設定釦７〜１１による新たな混合比データが入力されたか否かを判定し（ステップ  ロ）、混合比設定釦７〜１１による混合比の設定が行われていない場合には自動設定であるかを判断し、今の場合は前述したように混合比自動設定手段２５に混合比が格納されているので、この格納されている混合比が混合比設定手段２４に設定され（ステップ  リ）、混合比自動設定手段２４に設定された混合比、今の場合にはレギュラーガソリンとハイオクタンガソリンとを１対１で混合するとのデータを読み出し、この混合比を特定する表示ランプ１０ａを点灯し、また計数手段２０、２１の前回の計数量をリセットして表示器１３を帰零させ、さらにレギュラーガソリンとハイオクタンガソリンとが１対１となるように各流量制御弁Ｖ1、Ｖ2の弁開度を調整し、さらには各送液機構１、２のポンプモータＰＭ1、ＰＭ2を作動させる（ステップ  ハ）。
【００１３】
前に設定した混合比が間違えていたり、自動設定された混合比を変更したい場合は給油ノズル６のレバーが引き上げられて所定量、例えば８０ｃｃ程度の燃料油が吐出される以前に（ステップ  ニ）混合比設定釦７〜１１を操作すれば、混合比設定手段２４に設定されている混合比が更新され（ステップ  ホ）、また押された設定釦７〜１１に対応する表示ランプ７ａ〜１１ａが点灯して、新しく設定された混合比となるように各送液機構１，２の流量制御弁Ｖ1、Ｖ2の弁開度を調整する（ステップ  ヘ）。このようにして所定量の給油が行われると、混合比設定手段２４は、以後の混合比設定釦７及至１１からのデータを無視する。
給油期間中は、各送液機構１、２から送り出された各燃料油は、送液機構１、２の流量計Ｍ1、Ｍ2により測定されて流量パルス発信器ＰＬ1、ＰＬ2から流量パルスを出力させる。これにより各燃料油の積算流量が計数手段２０、２１により算出され、加算手段２２により全給油量が算出されて表示器１３に表示される。
【００１４】
このようにして所定量の給油が行われて給油ノズル６がノズル掛に戻されてノズルスイッチＳＷがＯＦＦになると（ステップ  ト）、制御装置３は、表示ランプ１０ａを消灯し、また流量制御弁Ｖ1、Ｖ2を閉弁し、さらに各送液機構１、２のポンプモータＰ1、Ｐ2を停止して次の給油に備える。
【００１５】
なお、客の求める混合比が一定せず区々な場合には、混合比自動設定手段２５には、混合比を設定しないで、給油の度に混合比を入力する。つまり、混合比自動設定手段に混合比を設定していない場合には、ノズルスイッチＳＷがＯＮになると（ステップ  イ）、混合比の設定待ち状態となる（ステップ  ロ）。そして、混合比設定釦７〜１１のうちの所望の混合比設定釦を押下すると前述のステップ（ハ）以下の工程を実行して、設定されている混合比での給油を可能とする。
また、自動設定される混合比を変更する必要が生じた場合には、キーボード１５から混合比を入力することにより更新することができる。
【００１６】
【発明の効果】
以上説明したように本発明によれば、給油頻度が高い油種の混合比データを格納しておくことにより、給油の度に混合比の設定動作を必要とすることなく大半の給油が可能となり、また特別な混合比での給油に際しては混合比指令手段を操作すれば顧客の注文にも応じることができる。
【図面の簡単な説明】
【図１】本発明の一実施例をマイクロコンピュータが奏すべき機能でもって示すブロック図である。
【図２】本発明が適用された給油装置の一実施例を示す構成図である。
【図３】同上装置の基本動作を示すフローチャートである。
【符号の説明】
１、２  送液機構
３  制御装置
７〜１１  混合比設定釦
７ａ〜１１ａ  表示器
Ｖ1、Ｖ2  流量制御弁
Ｖa、Ｖb  流量制御弁駆動用パルスモータ
【図１】
0003693298.tif 000002
【図２】
0003693298.tif 000003
【図３】
0003693298.tif 000004